(57)【要約】患者の水分レベルを決定する方法及び装置が開示される。当該方法は、真皮層の厚さを測定する段階を有する。
2009531119.tif 000002
【特許請求の範囲】
【請求項１】
装置であって：
力学的波を送信し、前記力学的波の反射を受信するトランスデューサ；
前記反射に対応する電気信号を受信する受信機；及び
前記反射のそれぞれに対応する距離を計算するプロセッサー；を有し、
前記距離は、真皮層の厚さを表す、装置。
【請求項２】
前記距離は真皮層の境界と皮下脂肪層との距離であり、前記距離は身体の脱水症レベルに比例する、請求項１記載の装置。
【請求項３】
前記プロセッサーは、前記トランスデューサからの複数の計算値を蓄積し、平均距離を計算する、請求項２記載の装置。
【請求項４】
前記プロセッサーは、前記平均距離を患者の基準距離と比較し、前記平均距離に基づき前記脱水症レベルを計算する、請求項３記載の装置。
【請求項５】
前記力学的波は超音波である、請求項１記載の装置。
【請求項６】
前記トランスデューサからの前記複数の計算値は、身体上の１つより多い位置からである、請求項３記載の装置。
【請求項７】
方法であって：
力学的波を身体へ送信する段階；
皮下脂肪層からの前記力学的波の反射を受信する段階；
前記身体との接触位置から反射位置までの距離を計算する段階；
前記距離から真皮層の厚さを決定する段階；及び
前記厚さに基づき、前記身体の脱水症レベルを決定する段階；を有する方法。
【請求項８】
前記距離は、角質層と前記脂肪層との間の距離である、請求項７記載の方法。
【請求項９】
前記力学的波が前記身体へ入る領域に複数のトランスデューサを備える段階：及び
前記トランスデューサのそれぞれが前記力学的波を放射し、前記反射を受信する段階；を有する請求項７記載の方法。
【請求項１０】
前記送信する段階及び前記受信する段階を少なくとも２回実行する段階；
前記距離のそれぞれに対し前記決定する段階を実行する段階；及び
前記真皮層の平均厚を計算する段階；を更に有する請求項７記載の方法。
【請求項１１】
前記水分レベルを決定する段階は、前記平均厚を患者の基準の厚さと比較する段階を更に有する、請求項１０記載の方法。
【請求項１２】
前記身体上の少なくとも複数の位置で前記送信する段階及び前記受信する段階を実行する段階、を更に有する請求項７記載の方法。
【請求項１３】
前記複数の位置のそれぞれに対し前記決定する段階を実行する段階；
各位置に対し平均厚を計算する段階；及び
各位置からの平均厚から総平均厚を計算する段階；を更に有し、
前記水分レベルを決定する段階は、前記総平均厚を基準厚と比較する段階を更に有する、請求項１２記載の方法。
【請求項１４】
装置であって：
身体の片面に接触し、それぞれ力学的波を送信し、前記力学的波の反射を受信する複数のトランスデューサを有する脱水症センサー；
前記反射に対応する電気信号を受信する受信機；及び
前記反射のそれぞれに対応する距離を計算するプロセッサー；を有し、
前記距離は、角質層と脂肪層との間の距離を表す、装置。
【請求項１５】
前記距離は真皮層の厚さを表し、前記距離は身体の脱水症レベルに比例する、請求項１４記載の装置。
【請求項１６】
前記プロセッサーは、複数の計算値を蓄積し、平均距離を計算する、請求項１５記載の装置。
【請求項１７】
前記プロセッサーは、前記平均距離を患者の基準距離と比較し、前記平均距離に基づき前記脱水症レベルを計算する、請求項１７記載の装置。
【請求項１８】
前記力学的波は超音波である、請求項１４記載の装置。
【請求項１９】
前記複数の計算値は、身体上の１つより多い位置からである、請求項１６記載の装置。
【請求項２０】
前記複数のトランスデューサのそれぞれは、単一のトランスデューサである、請求項１４記載の装置。
【発明の詳細な説明】
【技術分野】
【０００１】
本発明は、水分レベルを決定する方法及び装置を提供する。
【背景技術】
【０００２】
人間及び動物は水に頼って生きている。水は多くの生体及び生化学反応が行われるのに不可欠である。結果として、体内に最小限の水分を維持していることは重要である。
【０００３】
水分は体と環境との間で動的に交換される。標準状態では、体液は飲水、尿生成、発汗のような過程を通じ電解質濃度及び量ともに良好に維持される。しかしながら、体液平衡は種々の理由により乱されうる。これらの理由は、慢性的潜在性口渇のような状態による不十分な水分摂取量、疾病による胃腸の損失、腎臓状態、血液透析のような臨床診断法を含むが、これらに限定されない。
【０００４】
これらの状態の全ては、極度の体液喪失、それに伴う脱水症又は体液不足を生じうる。より一般的には、脱水症は、付随する電解質、特にナトリウムの不足を伴い又は伴わない水分不足を表す。体重のほんの数パーセントの体液不足でも、不快症状及び身体機能の障害を引き起こす。脱水症レベルが高いほど、患者は疲労し過敏になり、口渇、低頻度の排尿、及び頻脈の症状を伴う。
【０００５】
適正な水分補充なしでは、体液損失が体重の９％より大きくなると、体液不足は最終的に臨床的緊急事態に至り、臓器障害、昏睡、更には死亡に至る。
【０００６】
以上から、電解質の早期発見に続き速やかに且つ適正に水分摂取が行われることは、深刻な脱水症、及び場合によってはそれらの深刻な合併症の危険を有意に低減することが分かる。
【０００７】
一般に、電解質レベルの臨床的評価は、主に理学的診察に基づく。脱水症の症状は、口渇及び粘膜の渇き、くぼんだ目、起立性低血圧、毛細血管の再充填の遅延、及び皮膚弾力の低下、を含む。しかしながら、臨床的評価は主観的であり一般に感度及び特異性が低い。
【０００８】
血液及び尿の検体に関する臨床試験も電解質レベルを決定するために用いられている。標準的に当該試験は、追加情報を作成するため、診断の正当性を立証するため、及び患者の治療を支援するために脱水症状の臨床的評価の後に行われる。理学的診察を通じたこれらの試験の利点は、それらが客観的且つ定量的測定を提供することである。しかしながら、臨床試験は特別な実験機器を必要とし、通常は時間を要し高価である。
【発明の開示】
【発明が解決しようとする課題】
【０００９】
従って、上述の欠点の少なくともいくつかを克服する、患者の正確な水分レベルを測定する方法及び装置が必要である。
【課題を解決するための手段】
【００１０】
ある実施例によると、装置は、力学的波を送信し前記力学的波の反射を受信するトランスデューサを有する。装置は、反射に対応する電気信号を受信する受信機を有してもよい。更に、装置は、反射のそれぞれに対応する距離を計算するプロセッサーを有する。当該距離は真皮層の厚さを表す。
【００１１】
ある実施例によると、方法は、力学的波を表皮から身体へ送信する段階；前記力学的波の反射を受信する段階；前記身体との接触位置から反射位置までの距離を計算する段階；前記距離から真皮層の厚さを決定する段階；及び前記厚さに基づき、前記身体の脱水症レベルを決定する段階；を有する。
【００１２】
別の実施例によると、装置は、身体の片面と接触し複数のトランスデューサを有する脱水症センサーを有し、各トランスデューサは力学的波を送信し前記力学的波の反射を受信する。装置は、前記反射に対応する電気信号を受信する受信機、及び前記反射のそれぞれに対応する距離を計算するプロセッサー、を有する。前記距離は、角質層と皮下脂肪（ＳＦ）層との間の距離である。
【００１３】
本願明細書で用いられるように、単数を示す語は１又は複数を意味し、複数を示す語は２以上を表す。
【００１４】
本願明細書で用いられるように、「患者」の語は人間、動物、及び魚類を含む。
【００１５】
本発明の教示は、図と関連した以下の詳細な記載を読むことにより理解される。強調すべき点は、示された実施例が必ずしも縮尺通りに示されていないことである。実際に、寸法は議論を明確にするため適宜拡大又は縮小される。
【発明を実施するための最良の形態】
【００１６】
以下の詳細な説明では、説明を目的として限定的でなく、本発明の教示の完全な理解を提供するために、多くの詳細事項が説明される。しかしながら、当業者には、本発明が本願明細書に記載された特定の詳細事項とは別の他の実施例の利点を有することが明らかだろう。更に、良く知られた装置、ハードウェア、ソフトウェア、ファームウェア、方法及びシステムの説明は、実施例の記載を不明瞭にすることを避けるため、省略される。しかしながら、当業者の範囲内にあるこのようなハードウェア、ソフトウェア、ファームウェア、装置、方法及びシステムは、実施例に従い用いられてよい。最後に、同様の参照符号は同様の機能を表す。
【００１７】
記載される実施例は主にＡスキャンに関する。Ａスキャンは、トランスデューサが力学的波を患者へ送信し、反射された力学的波が時間の関数として記録される測定技術である。通常、トランスデューサは患者の片面に位置付けられ、力学的波の伝搬方向に沿った構造のみが応答する。反射波（エコー）が患者又は組織内の接触面から返送されると、トランスデューサは力学的波をエコー強度に比例する電圧に変換する。
【００１８】
図１は、ある実施例による装置１００の断面図である。装置１００はトランスデューサ１０１及び電子機器（図１に示されない）を有する。トランスデューサ１０１は、例として、例えば約１．０ＭＨｚ乃至約２０．０ＭＨｚの範囲の周波数を有する力学的波を送信する超音波トランスデューサである。特定の実施例では、トランスデューサは焦点が合っていない。代案として、トランスデューサ１０１は焦点の合っているトランスデューサである。
【００１９】
示された実施例では、トランスデューサ１０１は、パルス・モードで動作する単一要素のトランスデューサである。従って、約２５％より大きい比較的広い帯域幅が望ましい。更に、トランスデューサの周波数は通常比較的高く、測定精度を上げる。特定の実施例では、トランスデューサ１０１は約５．０ＭＨｚ乃至約２０．０ＭＨｚの範囲で動作するよう適応される。代案の実施例では、比較的低い周波数のトランスデューサがトランスデューサ１０１として実施されてよい。
【００２０】
トランスデューサ１０１は、医療用途で有用であり当業者に知られている種々のトランスデューサの１つであってよい。例えば、トランスデューサ１０１は、ジルコン酸チタン酸鉛（ＰＺＴ）素子のような圧電素子であってよい。別の例として、トランスデューサは圧電微小機械超音波トランスデューサ（ＰＭＵＴ）であってよい。強調すべき点は、ＰＺＴ及びＰＭＵＴトランスデューサは単なる例であり、他のトランスデューサも考えられることである。
【００２１】
トランスデューサ１０１は患者の角質層１０２と接触する。知られている結合材料（例えば結合ジェル）は、接触が行われる層１０２の位置に塗られる。この層１０２は、約０．０１０ｍｍ乃至約０．０２０ｍｍの厚さのミード（Ｍｅａｄ）スキンの層を有する。任意的に、トランスデューサは患者の体の生きている表皮層１０３に突出しているが、層１０２に穴を開けない。生きている表皮層１０３は比較的薄いか、又は約０．０３０ｍｍ乃至約０．１３０ｍｍ程度である。
【００２２】
患者は人間であってよい。また装置は医療試験装置であってよい。装置は、脱水症に関し水分レベルの測定を必要とする、動物の獣医学的試験に用いられてもよい。
【００２３】
表皮層１０３の下は真皮層１０４である。例えば、真皮層は約１．１ｍｍの厚さである。本願明細書により詳細に記載されるように、示された実施例の装置及び方法は、真皮層１０４の厚さを測定するのに有用であり、これらの測定は患者毎の水分測定の比較測定値を集める。
【００２４】
真皮層１０４の下は皮下脂肪（ＳＦ）層１０５である。例えば、この層は約１．２ｍｍ程度の厚さである。本願明細書に記載されるように、ある実施例では、力学的波（例えば、超音波）の真皮層１０４とＳＦ層１０５との間の反射は、真皮層１０４の厚さを定めるために用いられる。
【００２５】
最後に、ＳＦ層１０５の下は、筋肉層１０６若しくは骨、又はそれらの両方である。
【００２６】
強調すべき点は、以上に記載された層の厚さは、単なる例であることである。このため、層の厚さは、体の位置により及び患者により大きく変化しうる。更に、患者の姿勢はいくつかの層の厚さに影響しうる。更に、病状は層の厚さに影響しうる。特に、真皮層は、人間の体の流体（例えば、水分）貯蔵所のように機能する。体が脱水症になるにつれ、真皮層内の体液の量は減る。このように、真皮層の厚さは減少し、脱水症レベルの指標を提供する。実施例は、真皮層のこの特性を利用し、この層の厚さを測定し及びこれを許容水分レベルの基礎値と比較することにより脱水症レベルを決定する。
【００２７】
力学的波はトランスデューサ１０１から発せられ、組織層１０２−１０４を通じて伝搬する。本実施例では、力学的波はＳＦ層１０５の表面で反射され、組織を横切る。反射波（又はエコー）はトランスデューサ１０１に入射する。或いは、力学的波は層１０６で反射される。何れの場合も、力学的波はトランスデューサ１０１により電気信号に変換され、以下により詳細に記載されるように処理される。
【００２８】
特定の実施例では、装置１００は、非常に薄い層１０２、１０３を無視して真皮層１０４の厚さを表す距離１０７を計算する。代案の実施例では、装置１００は、真皮層１０４及びＳＦ層１０５の厚さを表す厚さ１０８を測定する。
【００２９】
距離１０７及び１０８は、それぞれ層１０２−１０４及び層１０２−１０５内の力学的波の速度を、トランスデューサからの力学的波の送信と力学的波の反射の受信との間の時間で単に乗算することにより計算される。特に、層１０２−１０５内の力学的波の速度は実質的に一定であり、力学的波の周波数、皮膚及び組織の温度、並びに皮膚及び組織の水分レベルと実質的に独立である。更に、距離１０７、１０８は、推定一定速度を用いて計算されてよい。
【００３０】
温度、力学的波の周波数、及び水分レベルは、速度を決定するのに考慮されると考えられる。例えば、特定の温度における皮膚及び組織内の基準速度、及び皮膚及び組織内の基準水分レベルから、力学的波の速度は約０．１０％／℃、及び体重の１．０％の水分損失に対し約０．２０％だけ調整されてよい。これらの調整を行った後、単純な計算が行われ、距離１０７、及び従って真皮層１０４の厚さ、又は距離１０８、及び従って真皮層１０４及びＳＦ層１０５の厚さを決定する。
【００３１】
簡単のため、装置１０１の機能の説明は距離１０７の測定に焦点を当てる。勿論、記載される原理は距離１０８の測定にも直ちに適用できる。
【００３２】
ある実施例によると、距離１０７に関し複数の測定が行われる。別の実施例では、測定は複数の位置で行われる。有利なことに、測定は、変形可能な組織が少ない場所があればそのような場所で行われる。この目的のため、トランスデューサ１０１と皮膚１０２との間の適正な結合を保証するため、圧力が加えられなければならない。しかしながら、測定されている素材が正確且つ一貫した測定するには非常に変形しやす過ぎる場合、圧力は測定される厚さを変化させうる。従って、人間の額、胸骨、及び頸骨のような位置は、距離１０７の正確な測定を要求する場合には有用である。
【００３３】
更に、トランスデューサに圧力センサーを含め、各測定で同一の圧力が身体に加えられることを保証することにより、又はトランスデューサの重さを身体の位置に加えさせることにより、又はこれらの両方により、厚さ測定の誤差は有利に回避されうる。
【００３４】
本願明細書に更に詳細に記載されるように、測定された距離１０７は特定の患者の同一の位置の基準距離と比較される。距離１０７が基準距離より小さい場合、水分レベルが現れる。理解されるように、真皮の測定された厚さを基準距離と比較することにより、測定は患者の過剰体液状態を評価するために用いられうる。
【００３５】
図２は、ある実施例による装置２００の概略ブロック図である。装置２００の多くの特徴は、図１の実施例に関して記載された装置の特徴と共通している。本実施例の説明が不明瞭になることを回避するため、これらの共通した詳細は繰り返されない。
【００３６】
トランスデューサ１０１は、パルス生成器及び受信機（ＰＧＲ）２０１と接続される。ＰＧＲ２０１は、有限期間且つ選択された周期性でトランスデューサ１０１へ電気パルスを送信する。電気パルスは、トランスデューサ１０１から層１０２−１０４へ放射される機械的パルスに変換される。
【００３７】
反射された力学的波は、トランスデューサ１０１により電気信号に変換され、ＰＧＲ２０１へ送信される。ＰＧＲ２０１は、受信回路、フィルター、及び増幅器を有する。増幅器は、力学的波が比較的高い周波数であるとき、層１０２−１０５内の力学的波の減衰が増加周波数で増大するので、特に有用である。適切な受信回路、フィルター回路、及び増幅回路は、アナログ信号処理分野の当業者に良く知られている。
【００３８】
装置２００はデータ取得モジュール２０２も有する。モジュール２０２は、例示的に抵抗器、又はＰＧＲ２０２から受信した受信信号データを格納するメモリーを有する。例えば、モジュール２０２は、各送信パルスに対し、送信された力学的波の飛行時間を計算するエンジンであってよい。これらのデータは次に距離１０７を計算するために格納される。
【００３９】
プロセッサー／マイクロプロセッサー２０３は、装置２００の種々の機能を達成するために設けられる。マイクロプロセッサー２０３は、Ｉｎｔｅｌ社のＰｅｎｔｉｕｍ（登録商標）のような市販のマイクロプロセッサー、又は他の適切なマイクロプロセッサーであってよい。プロセッサー２０３は、任意的にオペレーティング・システム（ＯＳ）ソフトウェアを有してよい。プロセッサー２０３は、本願明細書に記載されたアルゴリズムを達成するために書かれたアプリケーション・コードを有してよい。このようなコードは、当業者の能力の範囲内に含まれる。
【００４０】
ある実施例では、プロセッサー２０３はデータをキャプチャするため、及び相関アルゴリズムを実行するために用いられる。例示的に、データ・キャプチャは、受信した電気信号のアナログ−デジタル（Ａ／Ｄ）変換、及びデータの格納を含む。例示的に、飛行時間は相関アルゴリズムに基づき決定される。
【００４１】
代案として、飛行時間は、知られている正／負の勾配、ゼロ交差技術のような境界検出を通じて決定されてよい。特に、選択されたアルゴリズムを用いて分かった距離に対し構成手順を実行することは有益である。これは、測定を大幅に正確且つ一貫したものにする。
【００４２】
強調されるべき点は、記載されたアルゴリズムは当業者に知られていること、及び飛行時間、距離／厚さの測定値を決定する他のアルゴリズムの使用が考えられることである。
【００４３】
動作中には、操作者から入力を受信すると、プロセッサー２０３はＰＧＲ２０２によるパルス送信を開始し、試験を開始する。プロセッサー２０３は、アルゴリズム上、パルスの飛行時間を検索し、当該時間を速度で乗算することにより距離１０７を決定する。プロセッサー２０３は、同一位置における複数の測定値から平均距離を、又は異なる位置における複数の測定値から合計距離を、又は複数の位置のそれぞれからの複数の測定値から平均合計距離を決定してよい。
【００４４】
例示的に、送信され反射されたパルスからの多くの測定値が、同一の位置で生じ、これらから距離１０７の平均が決定されてよい。特定の実施例では、５個より多い測定値が、平均を計算するために用いられる。
【００４５】
或いは、パルスは、１つより多い場所（例えば、額、胸骨、及び頸骨）で送信され、合計の厚さが決定される。複数の測定が行われてよく、総平均が計算されてよい。特定の実施例では、５個より多い測定値が、各位置に対し平均を計算するために用いられる。平均値及び平均値の平均（総平均として参照される）も、データ取得モジュール２０２に格納されてよい。
【００４６】
理解されるように、患者の姿勢は測定に影響を与えうる。このため、身体のある位置における皮膚の厚さは姿勢により影響されうる。例えば、患者の中間部分の皮膚の厚さは、立っているときより座っているときのほうが詰まっており、結果として異なる測定値になる。有利なことに、身体の複数の位置からの合計の厚さを集めることにより、姿勢により生じた皮膚厚の変化にある程度の補償がもたらされる。
【００４７】
ある実施例では、プロセッサー２０３は、皮膚１０２及び組織の温度、又は送信された力学的波の周波数、又は最近の測定からの水分レベル、又はこれらの変数の組み合わせを受信し、これらの変数を考慮して速度を調整する。
【００４８】
距離１０７又は上述の平均距離を計算した後に、プロセッサー２０３はアルゴリズム上、距離１０７又は直近の測定の平均距離を基準と比較する。これらの比較から、水分レベルの相対的測定が行われうる。代案として、プロセッサーは、アルゴリズム上、測定データを基準レベルと比較することにより、体液水分レベルを決定してよい。
【００４９】
ある実施例によると、患者毎の特定の位置における皮膚厚の変化と水分レベルとの間の関係を決定する際に有用なデータベースを蓄積するために複数の測定が実行される。これらの測定は、測定値を患者の体液水分レベルに割り付けるために用いられる許容可能な（例えば、健全な）水分レベルにおける基準水分値を提供する。代案として又は追加で、当該基準は、多数の患者のグループからのデータから決定されてよい。これらの人口に基づく基準は、人口統計学的に更に蓄積されてよい。従って、特定の患者の水分レベルは、類似した身長、体重、年齢、及び他の類似した基準の人々の許容可能な体液レベルと比較されうる。
【００５０】
図３は、ある実施例による装置３００の断面図である。装置３００の多くの特徴は、図１及び図２の実施例に関して記載された装置の特徴と共通している。本実施例の説明が不明瞭になることを回避するため、これらの共通した詳細は繰り返されない。
【００５１】
装置は、複数のトランスデューサ３０１を有する。トランスデューサ３０１は、トランスデューサ１０１と実質的に同一であり、ＰＲＧ２０１とマルチプレクサ（示されない）を介して又は複数入力を有するＰＲＧ２０１を介して結合されてよい。トランスデューサからのデータは上述のように個々に処理される。
【００５２】
各トランスデューサ１０１は、患者の片面に置かれ、力学的波を身体へ送信する。これらの波は層１０２、１０３を横切り、ＳＦ層１０４で反射される。上述のように、真皮１０３は身体の水分レベルの比較的正確な測定値をもたらす。従って、装置は真皮の厚さの測定値、及び従って患者の水分レベルをもたらす。
【００５３】
本実施例では、各トランスデューサ３０１は真皮の個々の厚さ１０７を測定する。測定は、上述のような力学的波の送信、反射、及び受信を含む。測定された飛行時間から、プロセッサー２０３により各トランスデューサの位置で距離１０７及び従って真皮１０４の厚さが決定される。特に、厚さ１０８も同様の技術により測定されてよい。
【００５４】
任意的に、複数の測定が行われ、プロセッサーで平均近似が蓄積されてよい。更に、複数のトランスデューサ３０１が複数の位置で用いられてよく、任意的に複数の測定が各位置で行われてよい。
【００５５】
複数のトランスデューサ３０１の使用は、複数の測定が局部的に行われるので、精度のレベルを大幅に向上する。この精度は、複数の測定を行うことにより更に向上されうる。他の利点に加え、真皮３０２の厚さの局部的変化は、以下に記載される比較的直接的な平均処理を通じて考慮されてよい。
【００５６】
図４は、個々のトランスデューサ３０１の位置に対する距離１０７のグラフ表示である。線４０１は、測定されている身体の領域全体の距離データの機械的「近似」（例えば、最小二乗近似）を表す。この近似は、複数のトランスデューサにより検査されている身体の領域に対する平均値及び平均からの標準偏差をもたらす。特に、複数の測定が行われ、合成近似が決定されてよい。更に、複数の位置で複数の測定が行われ、各位置に対し合成近似が決定されてよい。これらの測定データはデータ取得モジュール２０２に格納されてよい。
【００５７】
適切な水分補給での各患者の基準値は、同様にトランスデューサ３０４を用いて計算されてよい。有利なことに、被験者が水又は他の液体を飲むことにより、又は点滴注射により良好に水分補給しているときに、基準が決定される。液体の量は、正常な状況下で栄養士又は他の医療専門家により推奨されてよい。特定の実施例では、基準測定は所定の日数に亘り実行され、信頼性を確保する。全ての測定値の平均は、基準として用いられてよい。
【００５８】
モジュール２０２に格納された測定データは、患者の脱水症レベルの決定のための基準値と比較されてよい。ある実施例では、複数の位置からの測定データが脱水症レベルの決定に用いられてよい。更に、前述の種々の距離測定値の平均が、脱水症レベルの決定に用いられてよい。
【００５９】
トランスデューサ３０１を用い、複数の厚さ測定が行われ、図４に示される測定値が得られる。各測定からの距離データの個々の平均又は近似が平均され、合成平均が提供される。この合成平均は、身体の特定の領域に渡り複数の測定を同一の位置で行うことにより、測定の不正確さを低減する。有利なことに、局所的な変動は適切に考慮される。
【００６０】
図５は、ある実施例による脱水症センサー５０１の上面図である。センサー５０１の特徴は、図１乃至図４の実施例に関して記載された装置の特徴と共通している。本実施例の説明が不明瞭になることを回避するため、これらの共通した詳細は繰り返されない。
【００６１】
センサー５０１は、基板５０３に配置された複数のトランスデューサ５０２を有する。ある実施例では、トランスデューサ５０２は、前述のトランスデューサ１０１、３０３と実質的に同一である。基板５０３は、トランスデューサ５０２の間の機械的及び電気的干渉を防ぐ種々の知られている材料の１つであってよい。有利なことに、基板５０３は、トランスデューサ５０２と皮膚との間の均一な接触を保証する層である。基板５０３は、実質的に音響上透過であり（つまり、皮膚と同一の音響インピーダンスを有する）、比較的薄い。
【００６２】
センサー５０１は、図３及び図４の実施例と関連して記載された方法と同様の方法で、身体のある領域に渡り複数の測定を行う。センサー５０１のトランスデューサ５０２は、ＰＲＧ２０１とマルチプレクサ（示されない）を介して又は複数入力を有するＰＲＧ２０１を介して結合されてよい。トランスデューサからのデータは上述のように個々に処理される。
【００６３】
各トランスデューサ５０２は、患者の片面に置かれ、力学的波を身体へ送信する。これらの波は表皮１０２、及び真皮１０４を横切り、下側の組織層、ＳＦ層１０５で反射される。上述のように、真皮１０４は身体の水分レベルの比較的正確な測定値をもたらす。従って、装置は真皮の厚さの測定値、及び従って患者の水分レベルをもたらす。
【００６４】
特定の実施例では、各トランスデューサ５０２は真皮の個々の厚さ１０４を測定する。測定は、上述のような力学的波の送信、反射、及び受信を含む。測定された飛行時間から、プロセッサー２０３により各トランスデューサの位置で距離１０７及び従って真皮１０４の厚さが決定される。
【００６５】
センサー５０１は、記載されたように身体上の多数の位置からの測定値を蓄積してもよい。更に、各位置で複数の測定が行われ、各測定について平均が計算され、上述のように総平均を蓄積してよい。
【００６６】
モジュール２０２に格納された測定データは、患者の脱水症レベルの決定のための基準値と比較されてよい。ある実施例では、複数の位置からの測定データが脱水症レベルの決定に用いられてよい。更に、前述の距離測定値の平均が、脱水症レベルの決定に用いられてよい。
【００６７】
本願明細書で留意すべき点は、本願明細書に記載された種々の方法及び装置がハードウェア及びソフトウェアで実施されてよいことである。更に、種々の方法及びパラメータは、単なる例であり、如何なる限定的意味に解されるべきではない。本願明細書を読むことにより、当業者は、彼らの技術を決定する際に本願の教示を実施し、これらの技術を達成しうる。これらの技術は本願明細書に添付された請求の範囲に包含される。
【図面の簡単な説明】
【００６８】
【図１】ある実施例による、体の表面と接触するトランスデューサの断面図である。
【図２】ある実施例による装置の概略ブロック図である。
【図３】別の実施例による装置の断面図である。
【図４】ある実施例による距離測定のグラフ表示である。
【図５】別の実施例による脱水症センサーの上面図である。
【図１】
2009531119.tif 000003
【図２】
2009531119.tif 000004
【図３】
2009531119.tif 000005
【図４】
2009531119.tif 000006
【図５】
2009531119.tif 000007
【国際調査報告】
2009531119.tif 000008
2009531119.tif 000009
2009531119.tif 000010